【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
情報処理装置から送信された印刷ジョブを受信し、受信した印刷ジョブに含まれる画像情報に基づいて画像データを生成し、生成した画像データを含む印刷ジョブを印刷装置に送信する画像処理装置と、前記画像処理装置から送信された印刷ジョブに含まれる認証情報に基づいて認証を行い、認証が成功したことに従って前記画像データに基づく印刷を行う印刷装置とを含む印刷システムであって、
前記画像処理装置は、
前記情報処理装置から送信された印刷ジョブに認証情報が設定されているか否かを判定する判定手段と、
前記判定手段により前記印刷ジョブに前記認証情報が設定されていないと判定された場合、前記画像データを含む印刷ジョブを前記印刷装置に送信しないよう制御し、前記判定手段により前記印刷ジョブに前記認証情報が設定されていると判定された場合、前記画像データを含む印刷ジョブを前記印刷装置に送信するよう制御する制御手段と、
を有する印刷システム。
【請求項２】
情報処理装置から送信された印刷ジョブを受信し、受信した印刷ジョブに含まれる画像情報に基づいて画像データを生成し、生成した画像データを含む印刷ジョブを印刷装置に送信する画像処理装置であって、
前記情報処理装置から送信された印刷ジョブに認証情報が設定されているか否かを判定する判定手段と、
前記判定手段により前記印刷ジョブに前記認証情報が設定されていないと判定された場合、前記画像データを含む印刷ジョブを前記印刷装置に送信しないよう制御し、前記判定手段により前記印刷ジョブに前記認証情報が設定されていると判定された場合、前記画像データを含む印刷ジョブを前記印刷装置に送信するよう制御する制御手段と、を有し、
前記印刷装置は、前記画像処理装置から送信された印刷ジョブに含まれる認証情報に基づいて認証を行い、認証が成功したことに従って前記画像データに基づく印刷を行うことを特徴とする画像処理装置。
【請求項３】
前記画像処理装置は、
前記印刷装置より属性情報を取得する取得手段と、
前記取得手段により取得された前記属性情報に基づいて、前記印刷装置の認証機能が有効になっているか否かを判定する有効性判定手段と、
を更に有し、
前記判定手段は、前記有効性判定手段により前記印刷装置の前記認証機能が有効になっていると判定されたことに従って、前記情報処理装置から送信された印刷ジョブに認証情報が設定されているか否かを判定する請求項２に記載の画像処理装置。
【請求項４】
前記制御手段は、前記画像データを含む印刷ジョブを前記印刷装置に送信しないよう制御した場合、印刷を中止したことを示すメッセージを表示する請求項２又は３に記載の画像処理装置。
【請求項５】
前記制御手段は、前記画像データを含む印刷ジョブを前記印刷装置に送信しないよう制御した場合、設定情報に応じて、前記印刷ジョブをホールドジョブとして保存するか否かを決定する請求項２又は３に記載の画像処理装置。
【請求項６】
前記制御手段は、前記印刷ジョブをホールドジョブとして保存すると決定した場合、前記印刷ジョブをホールドジョブとして記憶装置に保存し、前記印刷ジョブをホールドジョブとして保存しないと決定した場合、前記印刷ジョブを印刷済みジョブとして記憶装置に保存する請求項５に記載の画像処理装置。
【請求項７】
前記制御手段は、前記判定手段により前記印刷ジョブに前記認証情報が設定されていないと判定された場合、前記情報処理装置から送信された印刷ジョブに含まれる画像情報に基づく画像データの生成を行わないことを特徴とする請求項２から６の何れか１項に記載の画像処理装置。
【請求項８】
前記情報処理装置から送信された印刷ジョブに含まれる画像情報はＰＤＬデータであり、
前記画像処理装置は、前記ＰＤＬデータに基づいて前記画像データを生成することを特徴とする請求項２から７の何れか１項に記載の画像処理装置。
【請求項９】
前記情報処理装置から送信された印刷ジョブを保存する保存手段を更に有し、
前記判定手段は、前記保存手段に保存された印刷ジョブの中から選択された印刷ジョブに認証情報が設定されているか否かを判定することを特徴とする請求項２から８の何れか１項に記載の画像処理装置。
【請求項１０】
画像処理装置と印刷装置とを含む印刷システムにおける情報処理方法であって、
前記画像処理装置が、情報処理装置から送信された印刷ジョブを受信する受信ステップと、
前記画像処理装置が、前記受信ステップにより受信した印刷ジョブに含まれる画像情報に基づいて画像データを生成する生成ステップと、
前記画像処理装置が、前記受信ステップにより受信した印刷ジョブに認証情報が設定されているか否かを判定する判定ステップと、
前記画像処理装置が、前記判定ステップにより前記印刷ジョブに前記認証情報が設定されていないと判定された場合、前記画像データを含む印刷ジョブを前記印刷装置に送信しないよう制御し、前記判定ステップにより前記印刷ジョブに前記認証情報が設定されていると判定された場合、前記画像データを含む印刷ジョブを前記印刷装置に送信するよう制御する制御ステップと、
前記印刷装置が、前記印刷ジョブに設定された前記認証情報に基づき認証を実行する認証ステップと、
前記印刷装置が、前記認証ステップによる認証が成功したことに従って、前記印刷ジョブに含まれる画像データに基づく印刷を実行する実行ステップと、
を含む情報処理方法。
【請求項１１】
印刷装置と通信可能な画像処理装置が実行する情報処理方法であって、
情報処理装置から送信された印刷ジョブを受信する受信ステップと、
前記受信ステップにより受信した印刷ジョブに含まれる画像情報に基づいて画像データを生成する生成ステップと、
前記受信ステップにより受信した印刷ジョブに認証情報が設定されているか否かを判定する判定ステップと、
前記判定ステップにより前記印刷ジョブに前記認証情報が設定されていないと判定された場合、前記印刷ジョブを前記印刷装置に送信しないよう制御し、前記判定ステップにより前記印刷ジョブに前記認証情報が設定されていると判定された場合、前記印刷ジョブを前記印刷装置に送信するよう制御する制御ステップと、
を含む情報処理方法。
【請求項１２】
請求項１１に記載の情報処理方法をコンピュータに実行させるためのプログラム。
【手続補正２】
【補正対象書類名】明細書
【補正対象項目名】発明の名称
【補正方法】変更
【補正の内容】
【発明の名称】印刷システム、画像処理装置、情報処理方法及びプログラム
【手続補正３】
【補正対象書類名】明細書
【補正対象項目名】０００１
【補正方法】変更
【補正の内容】
【０００１】
本発明は、印刷装置が無駄な処理を実行するのを防止することができる印刷システム、画像処理装置、情報処理方法及びプログラムに関する。
【手続補正４】
【補正対象書類名】明細書
【補正対象項目名】０００５
【補正方法】変更
【補正の内容】
【０００５】
そこで、本発明は、情報処理装置から送信された印刷ジョブを受信し、受信した印刷ジョブに含まれる画像情報に基づいて画像データを生成し、生成した画像データを含む印刷ジョブを印刷装置に送信する画像処理装置と、前記画像処理装置から送信された印刷ジョブに含まれる認証情報に基づいて認証を行い、認証が成功したことに従って前記画像データに基づく印刷を行う印刷装置とを含む印刷システムであって、前記画像処理装置は、前記情報処理装置から送信された印刷ジョブに認証情報が設定されているか否かを判定する判定手段と、前記判定手段により前記印刷ジョブに前記認証情報が設定されていないと判定された場合、前記画像データを含む印刷ジョブを前記印刷装置に送信しないよう制御し、前記判定手段により前記印刷ジョブに前記認証情報が設定されていると判定された場合、前記画像データを含む印刷ジョブを前記印刷装置に送信するよう制御する制御手段と、を有する。